【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
ワイヤレス電力送信のための方法であって、
通信コンポーネント、複数のアンテナ、および制御装置を含む送信機によって受信することであって、
前記通信コンポーネントを介し、第１の受信機に結合された第１の電子デバイスから第１の制御信号を、および、前記通信コンポーネントを介し、第２の受信機に結合された第２の電子デバイスから第２の制御信号を、受信することであって、前記第１の通信信号は、前記第１の電子デバイスの位置を識別するのに使用される情報を含み、前記第２の通信信号は、前記第２の電子デバイスの位置を識別するのに使用される情報を含む、受信することと、
前記送信機の前記制御装置によって、（ｉ）前記第１の電子デバイスに前記送信機の、第１のグループの複数のアンテナを、および、（ｉｉ）前記第２の電子デバイスに前記送信機の、第２のグループ複数のアンテナを、割り当てることと、
前記送信機の前記制御装置によって、前記第１の電子デバイスに電力伝送信号を送信するための第１の効果的な波形特徴と、前記第２の電子デバイスに電力伝送信号を送信するための第２の効果的な波形特徴と、を決定することと、
前記第１のグループの複数のアンテナを介し、前記第１の効果的な波形特徴を使用して、前記第１の電子デバイスの前記位置に電力伝送信号を、前記第２のグループの複数のアンテナを介し、前記第２の効果的な波形特徴を使用して、前記第２の電子デバイスの前記位置に電力伝送信号を、送信することと
を含む、方法。
【請求項２】
前記送信することは、
前記第１のグループの複数のアンテナおよび前記第２のグループの複数のアンテナにより、電力伝送信号を実質的に同時に送信すること、または、
前記第１のグループの複数のアンテナおよび前記第２のグループの複数のアンテナにより、電力伝送信号を実質的に交互に送信すること
を含む、請求項１に記載の方法。
【請求項３】
前記効果的な波形特徴は、位相、利得、振幅、または方向を含む、請求項１に記載の方法。
【請求項４】
前記第２の制御信号は、前記第１の制御信号の後に受信され、
前記第１のグループのアンテナが、前記第１の電子デバイスに割り当てられた後に、前記第２のグループのアンテナが、前記第２の電子デバイスに割り当てられる、請求項１に記載の方法。
【請求項５】
前記送信機によって、前記第１の効果的な波形特徴を決定することは、
前記送信機によって、前記第１の受信機に、前記第１のグループの複数のアンテナのうちの第１のアンテナから前記第１の電子デバイスの前記位置まで第１の波形特徴を使用して第１の電力伝送信号を送信することと、
前記送信機によって、前記第１の受信機から、前記第１の電力伝送信号に基づく第１の電圧レベルデータを受信することと、
前記送信機によって、前記第１の受信機に、前記第１のグループの複数のアンテナのうちの前記第１のアンテナから前記第１の電子デバイスの前記位置まで第２の波形特徴を使用して第２の電力伝送信号を送信することと、
前記送信機によって、前記第１の受信機から、前記第２の電力伝送信号に基づく第２の電圧レベルデータを受信することと、
前記第１の電圧レベルデータおよび前記第２の電圧レベルデータの比較に基づいて、前記第１の電子デバイスの前記位置まで電力伝送信号を送信するための前記第１の効果的な波形特徴として、前記第１の波形特徴または前記第２の波形特徴のいずれを使用するかを決定することと、
を含む、請求項１に記載の方法。
【請求項６】
前記送信機によって、前記第２の効果的な波形特徴を決定することは、
前記送信機によって、前記第２の受信機に、前記複数のアンテナの第２のグループの第１のアンテナから前記第２の電子デバイスの前記位置まで第３の波形特徴を使用して第３の電力伝送信号を送信することと、
前記送信機によって、前記第２の受信機から、前記第３の電力伝送に基づく第３の電圧レベルデータを受信することと、
前記送信機によって、前記第１の受信機に、前記複数のアンテナの前記第１のグループの第１のアンテナから前記第１の電子デバイスの前記位置まで第２の波形特徴を使用して第４の電力伝送信号を送信することと、
前記送信機によって、前記第１の受信機から、前記第４の電力伝送信号に基づく第２の電圧レベルデータを受信することと、
前記第１の電圧レベルデータおよび前記第２の電圧レベルデータの比較に基づいて、前記第１の電子デバイスの前記位置まで第１の電力伝送信号を送信するための前記第１の効果的な波形特徴として、前記第１の波形特徴または前記第２の波形特徴のいずれを使用するかを決定することと、を含む、請求項５に記載の方法。
【請求項７】
前記第１の電圧レベルデータの、第２の電圧データに対する比較が、前記第２の電力伝送信号からの前記第１の電子デバイスに伝送された電力量が、前記第２の電力伝送信号からの前記第１の電子デバイスに伝送された電力レベルに比較して、より大きいことを示す場合、前記第１の波形特徴が前記第１の効果的な波形特徴として使用され、
前記第３の電圧レベルデータの、第４の電圧データに対する比較が、前記第３の電力伝送信号からの前記第２の電子デバイスに伝送された電力量が、前記第４の電力伝送信号からの前記第２の電子デバイスに伝送された電力レベルに比較して、より大きいことを示す場合、前記第３の波形特徴が前記第２の効果的な波形特徴として使用される、請求項６に記載の方法。
【請求項８】
前記通信コンポーネントは、Ｂｌｕｅｔｏｏｔｈ（登録商標）、Ｂｌｕｅｔｏｏｔｈ（登録商標）低エネルギー、Ｗｉ−Ｆｉ、周波数変調（ＦＭ）無線、近距離通信（ＮＦＣ）、およびＺｉｇＢｅｅ（登録商標）を含む群から選択されるワイヤレス通信プロトコルを使用して、前記第１および第２の制御信号を受信する、請求項１に記載の方法。
【請求項９】
前記第１の電子デバイスの位置を識別するのに使用される情報と、前記第２の電子デバイスを識別するのに使用される情報との両方は、受信信号強度測定値（ＲＳＳＩ）またはグローバル位置特定システム（ＧＰＳ）データを含む、請求項１に記載の方法。
【請求項１０】
前記送信機の制御装置は、前記通信コンポーネントに、および、前記複数のアンテナを制御するための回路に動作可能に結合されたマイクロプロセッサを含む、請求項１に記載の方法。
【請求項１１】
前記複数のアンテナは、平面アンテナ、パッチアンテナまたはダイポールアンテナである、請求項１に記載の方法。
【請求項１２】
前記複数のアンテナは、約９００ＭＨｚ、２．５ＧＨｚまたは５．８ＧＨｚの周波数帯域で動作するように構成される、請求項１に記載の方法。
【請求項１３】
前記複数のアンテナは、垂直偏波、水平偏波、円偏波、左偏波、または右偏波である、請求項１に記載の方法。
【請求項１４】
前記電力伝送信号は、電磁波、超音波および磁気共鳴からなる群から選択される型である、請求項１に記載の方法。
【請求項１５】
ワイヤレス電力送信のための送信機であって、
電力伝送信号を送信するように構成された複数のアンテナと、
第１の受信機に結合された第１の電子デバイスから第１の制御信号を、第２の受信機に結合された第２の電子デバイスから第２の制御信号を、受信するように構成された通信コンポーネントであって、前記第１の制御信号は、前記第１の電子デバイスの位置を識別するのに使用される情報を含み、前記第２の制御信号は、前記第２の電子デバイスの位置を識別するのに使用される情報を含む、通信コンポーネントと、
前記通信コンポーネントに、および、前記複数のアンテナを制御するための回路に動作可能に結合された制御装置と
を備え、
前記制御装置は、
（ｉ）前記第１の電子デバイスに前記送信機の、第１のグループの複数のアンテナを、および、（ｉｉ）前記第２の電子デバイスに前記送信機の、第２のグループ複数のアンテナを、割り当てし、
前記第１の電子デバイスに電力伝送信号を送信するための第１の効果的な波形特徴と、前記第２の電子デバイスに電力伝送信号を送信するための第２の効果的な波形特徴とを決定し、
前記第１のグループの複数のアンテナを介し、前記第１の効果的な波形特徴を使用して、前記第１の電子デバイスの前記位置に電力伝送信号を、および、前記第２のグループの複数のアンテナを介し、前記第２の効果的な波形特徴を使用して、前記第２の電子デバイスの前記位置に電力伝送信号を送信する
ように構成される、送信機。
【請求項１６】
前記送信機は、
前記第１のグループの複数のアンテナおよび前記第２のグループの複数のアンテナにより、電力伝送信号を実質的に同時に送信すること、または、
前記第１のグループの複数のアンテナおよび前記第２のグループの複数のアンテナにより、電力伝送信号を実質的に交互に送信すること
を行うように更に構成される、請求項１５に記載の送信機。
【請求項１７】
前記効果的な波形特徴は、位相、利得、振幅、または方向を含む、請求項１５に記載の送信機。
【請求項１８】
前記送信機は、
前記第２の制御信号を、前記第１の制御信号の後に受信することと、
前記第１のグループのアンテナが前記第１の電子デバイスに割り当てられた後に、前記第２のグループのアンテナを前記第２の電子デバイスに割り当てることと、
を行うように更に構成される、請求項１５に記載の送信機。
【請求項１９】
前記送信機は、
前記第１の受信機に、前記第１のグループの複数のアンテナのうちの第１のアンテナから前記第１の電子デバイスの前記位置まで第１の波形特徴を使用して第１の電力伝送信号を送信することと、
前記第１の受信機から、前記第１の電力伝送信号に基づく第１の電圧レベルデータを受信することと、
前記第１の受信機に、前記第１のグループの複数のアンテナのうちの前記第１のアンテナから前記第１の電子デバイスの前記位置まで第２の波形特徴を使用して第２の電力伝送信号を送信することと、
前記第１の受信機から、前記第２の電力伝送信号に基づく第２の電圧レベルデータを受信することと、
前記第１の電圧レベルデータおよび前記第２の電圧レベルデータの比較に基づいて、前記第１の電子デバイスの前記位置まで電力伝送信号を送信するための前記第１の効果的な波形特徴として、前記第１の波形特徴または前記第２の波形特徴のいずれを使用するかを決定することと、
を行うように更に構成される、請求項１５に記載の送信機。
【請求項２０】
前記送信機は、
前記第２の受信機に、前記複数のアンテナの第２のグループの第１のアンテナから前記第２の電子デバイスの前記位置まで第３の波形特徴を使用して第３の電力伝送信号を送信することと、
前記第２の受信機から、前記第３の電力伝送に基づく第３の電圧レベルデータを受信することと、
前記第１の受信機に、前記複数のアンテナの前記第１のグループの第１のアンテナから前記第１の電子デバイスの前記位置まで第２の波形特徴を使用して第４の電力伝送信号を送信することと、
前記第１の受信機から、前記第４の電力伝送信号に基づく第２の電圧レベルデータを受信することと、
前記第１の電圧レベルデータおよび前記第２の電圧レベルデータの比較に基づいて、前記第１の電子デバイスの前記位置まで第１の電力伝送信号を送信するための前記第１の効果的な波形特徴として、前記第１の波形特徴または前記第２の波形特徴のいずれを使用するかを決定することと、
を行うように更に構成される、請求項１９に記載の送信機。
【請求項２１】
前記送信機は、
前記第１の電圧レベルデータの、第２の電圧データに対する比較が、前記第２の電力伝送信号からの前記第１の電子デバイスに伝送された電力量が、前記第２の電力伝送信号からの前記第１の電子デバイスに伝送された電力レベルに比較して、より大きいことを示す場合、前記第１の波形特徴を前記第１の効果的な波形特徴として使用することと、
前記第３の電圧レベルデータの、第４の電圧データに対する比較が、前記第３の電力伝送信号からの前記第２の電子デバイスに伝送された電力量が、前記第４の電力伝送信号からの前記第２の電子デバイスに伝送された電力レベルに比較して、より大きいことを示す場合、前記第３の波形特徴を前記第２の効果的な波形特徴として使用することと、
を行うように更に構成される、請求項２０に記載の送信機。
【請求項２２】
前記通信コンポーネントは、Ｂｌｕｅｔｏｏｔｈ（登録商標）、Ｂｌｕｅｔｏｏｔｈ（登録商標）低エネルギー、Ｗｉ−Ｆｉ、周波数変調（ＦＭ）無線、近距離通信（ＮＦＣ）、およびＺｉｇＢｅｅ（登録商標）を含む群から選択されるワイヤレス通信プロトコルを使用して、前記第１および第２の制御信号を受信する、請求項１５に記載の送信機。
【請求項２３】
前記第１の電子デバイスの位置を識別するのに使用される情報と、前記第２の電子デバイスを識別するのに使用される情報との両方は、受信信号強度測定値（ＲＳＳＩ）またはグローバル位置特定システム（ＧＰＳ）データを含む、請求項１５に記載の送信機。
【請求項２４】
前記送信機の制御装置は、前記通信コンポーネントに、および、前記複数のアンテナを制御するための回路に動作可能に結合されたマイクロプロセッサを含む、請求項１５に記載の送信機。
【請求項２５】
前記複数のアンテナは、平面アンテナ、パッチアンテナまたはダイポールアンテナである、請求項１５に記載の送信機。
【請求項２６】
前記複数のアンテナは、約９００ＭＨｚ、２．５ＧＨｚまたは５．８ＧＨｚの周波数帯域で動作するように構成される、請求項１５に記載の送信機。
【請求項２７】
前記複数のアンテナは、垂直偏波、水平偏波、円偏波、左偏波、または右偏波である、請求項１５に記載の送信機。
【請求項２８】
前記電力伝送信号は、電磁波、超音波および磁気共鳴からなる群から選択される型である、請求項１５に記載の送信機。
【請求項２９】
通信コンポーネント、複数のアンテナ、および制御装置を含む送信機の１または複数のプロセッサによって実行するために構成された１または複数のプログラムを記憶する一時的でないコンピュータ読取可能媒体であって、
前記１または複数のプログラムは、１または複数のプロセッサによって実行された場合、前記送信機に、ステップを行わせる命令を有し、
前記ステップは、
前記通信コンポーネントを介し、第１の受信機に結合された第１の電子デバイスから第１の制御信号を、および、前記通信コンポーネントを介し、第２の受信機に結合された第２の電子デバイスから第２の制御信号を、受信することであって、前記第１の通信信号は、前記第１の電子デバイスの位置を識別するのに使用される情報を含み、前記第２の通信信号は、前記第２の電子デバイスの位置を識別するのに使用される情報を含む、受信することと、
前記送信機の前記制御装置によって、（ｉ）前記第１の電子デバイスに前記送信機の、第１のグループの複数のアンテナを、および、（ｉｉ）前記第２の電子デバイスに前記送信機の、第２のグループ複数のアンテナを、割り当てることと、
前記送信機の前記制御装置によって、前記第１の電子デバイスに電力伝送信号を送信するための第１の効果的な波形特徴と、前記第２の電子デバイスに電力伝送信号を送信するための第２の効果的な波形特徴と、を決定することと、
前記第１のグループの複数のアンテナを介し、前記第１の効果的な波形特徴を使用して、前記第１の電子デバイスの前記位置に電力伝送信号を、前記第２のグループの複数のアンテナを介し、前記第２の効果的な波形特徴を使用して、前記第２の電子デバイスの前記位置に電力伝送信号を、送信することと
を含む、一時的でないコンピュータ読取可能媒体。